(57)【要約】【課題】簡単な構成であって、嗜好や必要に応じて装飾的、情報提供的、広告宣伝的等の広範な用途に使用でき、その用途に基づく表示体を簡単に且つ迅速に交換できる飾りパネルを提供すること。【解決手段】この幕板飾りパネルは、上下に位置するＵ字状溝２を有する厚み部３を備える長方形の透明プレート１と、その透明プレート１の上下に位置するＵ字状溝には挿入できる展示すべき紙状物４と、上端の数カ所に留め固定された指で簡単に曲げ得る柔軟な金属板小片５とから成る。この金属板小片５は薄手のアルミ、銅、形状記憶合金から成り、長手方向に止め固定用穴１４を穿孔されている。  さらに、この幕板飾りパネルは、固定用蝶番を備える既存の幕板と、幕板の上下に取り付けたＬ字形ガイドと、袋状の厚み部を備える長方形の透明プレートと、その透明プレートの上下に位置する袋状の厚み部のＵ字状溝に挿入できる展示すべき紙状物とから成る。【選択図】図１
0003109116.tif 000002
【実用新案登録請求の範囲】
【請求項１】
上下に位置するＵ字状溝を有する厚み部を備える長方形の透明プレートと、その透明プレートの上下に位置するＵ字状溝には挿入できる展示すべき紙状物と、上端の数カ所に留め固定された指で簡単に曲げ得る柔軟な金属板小片とから成ることを特徴とする飾りパネル。
【請求項２】
金属板小片が指で簡単に曲げ得る薄いアルミ、銅、或いは形状記憶合金から成ることを特徴とする請求項１に記載の飾りパネル。
【請求項３】
金属板小片には長手方向に複数個の穴が設けられており、固定強度を増すためにこの穴を利用してねじ、釘、鋲により金属板小片の自由端側を止めることを特徴とする請求項２に記載の飾りパネル。
【請求項４】
上下に位置するＵ字状溝を有する厚み部を備える長方形の透明プレートと、その透明プレートの上下に位置するＵ字状溝には挿入できる展示すべき紙状物と、上端の数カ所に留め固定された吸着盤とから成ることを特徴とする飾りパネル。
【請求項５】
固定用蝶番を備える既存の幕板と、幕板の上下に取り付けたＬ字形ガイドと、袋状の厚み部を備える長方形の透明プレートと、その透明プレートの上下に位置する袋状の厚み部のＵ字状溝に挿入できる展示すべき紙状物とから成ることを特徴とする飾りパネル。
【考案の詳細な説明】
【技術分野】
【０００１】
この考案は、広告、宣伝用パネルや事務所等の装飾のためにパノラマ景色や絵画等の写真や装飾物をセットできる飾りパネルに関し、特にパチンコ機又はパチスロ島台の幕板として利用できる飾りパネルであって、遊戯店の催し予定や飲食物の出前情報、種々の案内広告を掲載して遊戯店に来たお客にサービス情報を提供する幕板飾りパネルに関する。
【背景技術】
【０００２】
パチンコ遊戯場では、パチンコ台を並べて配置する島台においては、美観を与えると共にパチンコ台上部の機械装置を保護し、騒音の減少を図るために上部の位置に幕板パネルを配置することが行われている。一般にパチンコ機又はパチスロ島台の幕板はその前面に絵柄やキャラクタを表示する構成（特許文献１を参照）であった。これらは幕板シートを糊付けしており、剥がすのに苦労していた、また、剥がし糊が残ったりして苦情が多かった。そのように、これら先行技術は構造的に絵柄やキャラクタ等を取り換えるのに不便なものであった。
【０００３】
これら絵柄やキャラクタばかりでなく、サービス情報を提供するビラやチラシ等や広告宣伝の情報の差し換えを簡単且つ迅速に行える幕板（特許文献２）も提案されていた。しかし、これは表示物を上方から挿入する構成であり、高い位置から作業するもであった。
【０００４】
事務所や自宅等において装飾、心の癒しや和みのためにパノラマ自然景色の写真や絵画をセットしたり、季節に応じた図柄を交換したり、会社等の広告宣伝の情報を表示できて簡単に且つ迅速にそれら表示体を交換できるパネルが求められ、そして掲示場所に応じて或いは嗜好に合せて表示体を交換できる飾りパネル（特許文献３）も求められていた。しかしながら、いずれのパネルも、それなりの複雑な部品や装備を必要としていた。  
【特許文献１】特開平１０−１７９９０５号公報
【特許文献２】実用新案登録第３１０１５９９号明細書
【特許文献３】特開２００３−３２６８９９号公報
【考案の開示】
【考案が解決しようとする課題】
【０００５】
この考案は、簡単な構成であって、嗜好や必要に応じて装飾的、情報提供的、広告宣伝的等の広範な用途に使用でき、その用途に基づく表示体を簡単に且つ迅速に交換できる飾りパネルを提供することである。
【課題を解決するための手段】
【０００６】
この考案の課題は、上下に位置するＵ字状溝を有する厚み部を備える長方形の透明プレートと、その透明プレートの上下に位置するＵ字状溝には挿入できる展示すべき紙状物と、上端の数カ所に留め固定された指で簡単に曲げ得る柔軟な金属板小片とから成る飾りパネルによって、解決される。
【０００７】
また、この考案の課題は、上下に位置するＵ字状溝を有する厚み部を備える長方形の透明プレートと、その透明プレートの上下に位置するＵ字状溝には挿入できる展示すべき紙状物と、上端の数カ所に留め固定された吸着盤とから成る飾りパネルによって、解決される。
【０００８】
更には、この考案の課題は、固定用蝶番を備える既存の幕板と、幕板の上下に取り付けたＬ字形ガイドと、袋状の厚み部を備える長方形の透明プレートと、その透明プレートの上下に位置する袋状の厚み部のＵ字状溝に挿入できる展示すべき紙状物とから成る幕板飾りパネルによって、解決される。
【考案の効果】
【０００９】
この考案の飾りパネルによると、紙状表示体を簡単に且つ迅速に交換できるので、嗜好や必要に応じて装飾的、情報提供的、広告宣伝的等の広範な用途に使用できる。また、掲示場所に柔軟な金属板小片を指で折り曲げてフックを形成して、付けなげし、突っ張り棒等の取り付け箇所に簡単に装着できる。  
【００１０】
この考案の飾りパネルによると、取付け手段として吸着盤を利用したので、風呂場のタイル面、ユニットバス壁面、ガラス、コーテイングされた材料などの鏡面箇所に取り付けできる。風呂場の壁面に簡単に取り付けできる。
【００１１】
この考案の飾りパネルによると、パチンコ遊戯場で使用される既存の幕板に飾りパネルとして簡単に装着できる。この飾りパネルは遊戯場に関するサービス情報を提供するビラやチラシ等や広告宣伝用の紙状情報媒体の差し換えを簡単且つ迅速に行える。また、この飾りパネルの構成は簡単であって安価な費用で製作できる。      
【考案を実施するための最良の形態】
【００１２】
次に、この考案に係る飾りパネルは、最良の形態の実施例で図面に基づいて説明される。図１はこの考案の一態様の飾りパネルの斜視図であり、図２はこの考案の飾りパネルを家屋の付け長押の取り付ける状態の断面図であり、図３はこの考案の飾りパネルを突っ張り棒等に取り付ける状態の正面図であり、図４はこの考案の飾りパネルを衝立や間仕切り等に取り付ける状態斜視図であり、図５はこの考案の飾りパネルを吸着盤により取り付ける別の態様の正面図と側面図であり、図６は別の態様の飾りパネルの側面図と正面図であり、図７はこの考案の飾りパネルに対する展示物の挿入の仕方の断面図である。
【実施例１】
【００１３】
この考案に係る飾りパネルは、図１に示されるように、上下に位置するＵ字状溝２を有する厚み部３を備える長方形の透明プレート１と、その透明プレート１の上下に位置するＵ字状溝２には挿入できる展示すべき紙状物４と、上端の数カ所に留め固定された指で簡単に曲げ得る柔軟な金属板小片５とから成る。この留め固定はリベット、ビス、ねじ等により留めたり、かしめにより簡単に金属板小片５を透明プレート１に固定している。この透明プレート１は透明な合成樹脂から成り、上下の厚み部３には長手方向に延びるＵ字状溝２が設けられ、そのＵ字状溝２の幅は挿入できるように展示すべき紙状物４の厚さより大きな寸法に形成されている。
【００１４】
透明プレート１に留め固定された柔軟な金属板小片５は指で簡単に曲げることができ、この飾りパネルの取り付け金具として役立つ。この金属板小片５は薄手のアルミ、銅、形状記憶合金から成り、長手方向に止め固定用穴１４を穿孔されている。この固定用穴１４は透明プレート１に金属板小片５を止めるときばかりでなく、飾りパネルをセットする対象物に金属板小片５を固定する場合に穴１４にリベット、ビス、釘、ねじ等を通して金属板小片５の自由端側を止めるのに利用され得る。図２はこの考案の飾りパネルを家屋の付け長押の取り付ける状態を示し、数カ所に留め固定された金属板小片５を指で曲げて付け長押６に引っ掛けて透明プレート１を固定する。
【００１５】
図３はこの考案の飾りパネルを突っ張り棒等に取り付けた状態の正面図であり、自宅等の廻り縁８の下と鴨居９の間において柱７間に突っ張り棒１０をセットして、金属板小片５を曲げてその突っ張り棒１０に透明プレート１を吊るす状態に取り付けて飾りパネルを構成する。この金属板小片５は繰り返し折り曲げ使用することによって破損したならば、新たものに交換して透明プレート１の上端に簡単な止め手段によって止めて、金属板小片５を簡単に交換して飾りパネルは長期間にわたり使用できる。
【００１６】
また、この考案の飾りパネルは、図４に示される如く、事務所や会社等の部屋において設置される仕切りパーテションや間仕切り１７並びに飲食店等の衝立１７に金属板小片５により簡単に止めて使用できる。
【実施例２】
【００１７】
図５は、この考案の飾りパネル１の上端の数カ所には吸着盤１６が取り付けられていて、この吸着盤１６により風呂場のタイル壁面１５などにも簡単に風景画４などを飾り付けることができる。吸着盤１６は風呂場のタイル面、ユニットバス壁面、ガラス、コーテイングされた材料などの鏡面箇所１５に取り付けできる。
【実施例３】
【００１８】
図６の左は、既存の幕板１１を使用した別の態様の飾りパネルの側面図であり、この考案の飾りパネルは、固定用蝶番１２を備える既存の幕板１１と、幕板１１の上下に取り付けたＬ字形ガイド１３と、袋状の厚み部３を備える長方形の透明プレート１と、その透明プレート１の上下に位置する袋状の厚み部３のＵ字状溝２に挿入できる展示すべき紙状物４とから成る。近年の幕板１１は薄型、軽量、メラミン及び化粧ポリ板仕上げであって無地、着色と様々あり、寸法は幅が１２００ｍｍ−１６００ｍｍで、高さが３００ｍｍ−４００ｍｍ程度である。
【００１９】
図６の右は別の態様の飾りパネルの正面図であり、展示すべき紙状物４を挿入した透明プレート１は幕板１１とＬ字形ガイド１３との間に挿入し、左右にスライドさせて幕板１１とＬ字形ガイド１３との間から取り出しできる。展示物４の交換の場合には、袋状透明プレート１はＬ字形ガイド１３から横方向にスライドさせて取り出された後に、その透明プレート１のＵ字状溝２から古い展示物を取り出し、新たな展示物４をＵ字状溝２に差し込みた後に、再び袋状透明プレート１を横方向から幕板１１とＬ字形ガイド１３との間に挿入してセットする。
【００２０】
この考案の飾りパネルの透明プレート１に展示物４をセットする場合には、上部のＵ字状溝２に展示物４を挿入して上へ押し上げて（図７ａ）、その後に下部のＵ字状溝２の中に落とし込む（図７ｂ）ケンドン方式でセットするか、或いは横方向からの抜き差しスライド方式でセットする。特に、パチンコ等の新店の多くは幕板上部に照明器具が付いている場合が多いので、このようなケンドン方式やスライド方式が好ましい。
【図面の簡単な説明】
【００２１】
【図１】この考案の一態様の飾りパネルの斜視図である。
【図２】この考案の飾りパネルを家屋の付け長押の取り付ける状態の断面図である。
【図３】この考案の飾りパネルを突っ張り棒等に取り付けた状態の側面図と正面図である。
【図４】この考案の飾りパネルを衝立や間仕切り等に取り付ける状態斜視図である。
【図５】別の態様の取付け手段をもつこの考案の飾りパネルの側面図と正面図である。
【図６】この考案の別の態様の飾りパネルの側面図と正面図である。
【図７】この考案の飾りパネルに対する展示物の挿入の仕方の断面図である。
【符号の説明】
【００２２】
１．．．透明プレート  
２．．．Ｕ字状溝
３．．．厚み部
４．．．紙状展示物
５．．．金属板小片
６．．．付け長押
７．．．柱
８．．．廻り縁
９．．．鴨居
１０．．．突っ張り棒
１１．．．幕板
１２．．．固定用蝶番
１３．．．Ｌ字形ガイド
１４．．．穴
１５．．．鏡面箇所
１６．．．吸着盤
１７．．．間仕切りや衝立
【図１】
0003109116.tif 000003
【図２】
0003109116.tif 000004
【図３】
0003109116.tif 000005
【図４】
0003109116.tif 000006
【図５】
0003109116.tif 000007
【図６】
0003109116.tif 000008
【図７】
0003109116.tif 000009